(57)【要約】      （修正有）【課題】容易にかつ確実にヘッドランプをヘルメットに装着することができる器具を提供する。【解決手段】ヘッドランプに付属している固定用ベルトとほぼ同一の幅を有し、ヘッドランプのベルトフックに容易に通せるような柔軟性を有しているとともに、ヘルメットのハンモック固定用ピンが貫通できる直径の穴をハンモック固定用ピンの位置に合わせて空けた帯状のアルミニウム薄板で構成される器具を、ヘッドランプの固定用ベルトの代わりにヘッドランプのベルトフックに装着し、さらに、ヘルメットのハンモック固定用ピンを使用してヘルメット本体に固定する。【選択図】図１
0003166131.tif 000002
【実用新案登録請求の範囲】
【請求項１】
ヘルメット本体及びヘッドランプ本体に何等加工することなく、ハンモック固定用ピンを活用してヘルメットにヘッドランプを装着できることを特徴とした器具。
【請求項２】
ヘッドランプに付属している固定用ベルトを使用することなく、これに代わりアルミニウム薄板又はこれと同程度の強度を有する合成樹脂製薄板を使用してヘルメットにヘッドランプを装着する器具。
【請求項３】
ヘッドランプに付属している固定用ベルトのようにヘルメット全周を占有することなく、ヘルメット前面の限られた部分のみでヘルメットにヘッドランプを装着できることを特徴とした器具。
【考案の詳細な説明】
【技術分野】
【０００１】  本考案は、頭部を保護するために使用する保安用ヘルメットに小型の照明装置（以下「ヘッドランプ」という）を容易に装着する器具に関する。
【背景技術】
【０００２】  落下物や飛来物の危険が想定される場合、保安用のヘルメットを着用し頭部を保護する必要性があり、建築現場等の産業活動時や、さらに過酷な状況下で作業しなければならない消防・救助活動時のほとんどの場面で実施されている。【０００３】  上記の状況下では、安全に作業を実施するために照明を必要とされる場合が多く、固定式又は大型携行式の照明装置を使用することもあるが、作業者の視野に影ができるなど、必ずしも作業性の向上に繋がらない場合が多いので、ヘルメットにヘッドランプを装着する方法が一般的に実施されている。【０００４】  上記ヘッドランプの大部分は、小型軽量であること、操作性が優れていること、光量が十分確保できることなどの理由から登山などのアウトドアレジャー用に開発されたものを流用することが多く、これらは、ゴム等の伸縮性をもったベルトで頭部に固定するように設計されており、保安用ヘルメットに流用する場合も同様にベルトを使用している。図２にその装着状況を示す。【０００５】  保安用ヘルメットの着用が要求される状況下では、眼の保護が必要な場合が多く、ヘッドランプ装着用ベルトと同様の特性を有するベルトで固定する仕組みの保護めがね（ゴーグル）をヘルメットに装着している。【０００６】  一般的な保安用ヘルメットは、内部にハンモックと呼ばれる合成樹脂製の部品を有し、このハンモックはその端部に設けられた穴とヘルメット本体に設けられた穴を合成樹脂製のピン（以下「ハンモック固定ピン」という）を貫通させることによりヘルメット本体に固定されている。【０００７】  図６に示すとおりハンモック端部に設けられた穴は、鍵穴型になっており、ハンモックを１センチメートル程度スライドさせることで、容易に当該固定ピンをヘルメットから離脱することができる。
【考案の概要】
【考案が解決しようとする課題】
【０００８】  以上に述べた従来の装着方法では、ベルトがヘルメットの外面を滑って移動してしまうため、作業中にヘッドランプが脱落する事態が生じていた。【０００９】  また、ベルトが捩れるため、頭部の動きの影響を受けてヘッドランプが上下動し、照射方向が作業者の意図から逸脱してしまうこともある。【００１０】  ヘッドランプとゴーグルを同時に装着している場合、双方のベルトがヘルメットの外面上で重なってしまうので、ゴーグルを着脱する際、ヘッドランプも同時に動いてしまうなどの作業上の支障となる事態も発生していた。【００１１】  以上に述べた問題点を解決するため、ベルトを使用しない装着方法、たとえばネジによる固定を実施しようとすると、ヘルメット本体やヘッドランプの穴あけ加工等を必要とし、ヘルメットの強度低下を来たすなど安全上の様々な問題が生じていた。【００１２】  本考案は、このようなベルトによる装着方法が有している問題点を解決し、ヘルメットに確実にかつ容易にヘッドランプを装着して安全な作業を実現することを目的とするものである。
【課題を解決するための手段】
【００１３】  本考案は、上記の目的を達成するため、ベルトに代えて、ベルトの幅とほぼ同一の帯状の薄板（以下、「ヘッドランプホルダー」という）をヘッドランプのベルトフックに通し、ヘルメット内部のハンモック固定ピンを活用して固定するものである。
【考案の効果】
【００１４】  ヘッドランプがヘルメットに確実に固定されるため、作業途中にヘッドランプが脱落することがない。【００１５】  ヘッドランプホルダーは、従来のベルトのように捩れることが極めて少ないため、ヘッドランプの照射角度の変化が少ない。【００１６】  ヘッドランプホルダーは、図１のとおりヘルメットの前面のごく限られた部分を占有するだけなので、ゴーグル等の着用に支障を来たすことが極めて少なくなる。【００１７】  ヘッドランプホルダーの固定には、既にヘルメットに設けられているハンモック固定ピン及び既にヘッドランプに設けられているベルトフックを活用するものであるので、双方に何等加工する必要がなく、極めて容易にヘッドランプの装着が可能である。
【図面の簡単な説明】
【００１８】
【図１】  本考案に係るヘッドランプホルダーを使用してヘルメットにヘッドランプを装着した状況を示す図。
【図２】  従来実施されているベルトを使用した方法によりヘルメットにヘッドランプを装着した状況を示す図。
【図３】  本考案に係るヘッドランプホルダーを使用してヘルメットにヘッドランプを装着した状況を示す側面図。
【図４】  図３におけるＡ−Ａの断面図。ヘッドランプホルダーの位置を明確にするため、ヘッドランプホルダーの実際の厚みより誇張して図示してある。
【図５】  本考案に係るヘッドランプホルダーの形状の一例として示した平面図。
【図６】  一般的なヘルメット内部のハンモックの構造を示した展開図。
【考案を実施するための形態】
【００１９】  以下、本考案の実施の形態を図１及び図３〜図６に基づいて説明する。
【００２０】  ヘッドランプホルダーは、アルミニウム製薄板（厚さ０．３ミリメートル程度）又はこれと同程度の強度を有する合成樹脂製薄板を図５のような形状に切断加工したものである。ヘッドランプホルダーの幅は、一般的なベルトの幅に合わせて、２．５センチメートル程度とし、ヘルメット前面に２箇所にわたって設けられたハンモック固定ピン用の穴の間隔（９センチメートル程度が一般的）に合わせて、ヘッドランプホルダーには、２箇所の穴が設けられる。当該穴は、取り付け具合の微調整が可能なように横長の形状としている。
【００２１】  ヘッドランプ装着の第１段階として、ヘッドランプのベルトフックからベルトを抜き取り、代わりにヘッドランプホルダーを通す。
【００２２】  第２段階としてヘルメットのハンモック固定ピンを外す。
【００２３】  第３段階としてヘッドランプホルダーの穴にハンモック固定ピンを通して元のとおりハンモックとともにヘッドランプホルダーをヘルメットに固定する。装着が完了した状況が図１、図３及び図４である。
【００２４】  ハンモック固定ピンの長さは、ヘルメット本体、ヘルメット内部緩衝材及びハンモックの各厚みを合計した数値を考慮して製作されており、ヘッドランプホルダーを装着することにより、この厚さ相当分が固定ピンの長さに付加されなければならないと危惧されるが、ヘッドランプホルダーの厚みは、０．３ミリメートル程度であるとともにヘルメット内部緩衝材は、発泡スチロールで製作されており若干の伸縮が可能であることから、ヘッドランプホルダーの厚み分を十分吸収するので、ハンモック固定ピンの長さを調整加工する必要性はない。
【符号の説明】
【００２５】  １  ヘッドランプホルダー            ２  ヘルメット本体
３  ヘッドランプ                    ４  ハンモック固定ピン
５  従来の方法による固定用ベルト    ６  ヘルメット内部緩衝材
７  ハンモック固定ピンを通す穴      ８  ハンモック
【図１】
0003166131.tif 000003
【図２】
0003166131.tif 000004
【図３】
0003166131.tif 000005
【図４】
0003166131.tif 000006
【図５】
0003166131.tif 000007
【図６】
0003166131.tif 000008
【手続補正書】
【提出日】平成22年9月22日(2010.9.22)
【手続補正１】
【補正対象書類名】実用新案登録請求の範囲
【補正対象項目名】全文
【補正方法】変更
【補正の内容】
【実用新案登録請求の範囲】
【請求項１】
保安用ヘルメットにヘッドランプを装着する器具において、ヘルメット本体及びヘッドランプ本体に何等加工することなくヘルメットにヘッドランプを装着できるようにするため、帯状のアルミニウム薄板で構成される器具をヘッドランプに付属している固定用ベルトの代わりにヘッドランプのベルトフックに装着するとともに、さらに、この器具をヘルメットのハンモック固定用ピンを使用してヘルメット本体に固定することを特徴とした上記記載の器具。
【請求項２】
アルミニウム薄板の代わりに合成樹脂薄板で構成される請求項１記載の器具。
【請求項３】
請求項１記載の器具において、ヘルメット前面にあるハンモック固定用ピンのみで請求項１記載の器具をヘルメットに装着することにより、ランプに付属している固定用ベルトのようにヘルメット全周を占有することなく、ヘルメット前面の限られた部分のみでヘルメットにヘッドランプを装着できることを特徴とした器具。
【手続補正書】
【提出日】平成22年11月19日(2010.11.19)
【手続補正１】
【補正対象書類名】実用新案登録請求の範囲
【補正対象項目名】全文
【補正方法】変更
【補正の内容】
【実用新案登録請求の範囲】
【請求項１】
保安用ヘルメットにヘッドランプを装着する器具において、ヘルメット本体及びヘッドランプ本体に何等加工することなくヘルメットにヘッドランプを装着できるようにするため、ヘッドランプに付属している固定用ベルトとほぼ同一の幅を有し、ヘッドランプのベルトフックに容易に通せるような柔軟性を有しているとともにヘルメットのハンモック固定用ピンが貫通できる直径の穴をハンモック固定用ピンの位置に合わせて空けた帯状のアルミニウム薄板で構成される器具をヘッドランプの固定用ベルトの代わりにヘッドランプのベルトフックに装着し、さらに、この器具をヘルメットのハンモック固定用ピンを使用してヘルメット本体に固定することを特徴とした上記記載の器具。
【請求項２】
アルミニウム薄板の代わりに合成樹脂薄板で構成される請求項１記載の器具。
【請求項３】
請求項１記載の器具において、ヘルメット前面にあるハンモック固定用ピンのみで請求項１記載の器具をヘルメットに装着することにより、ランプに付属している固定用ベルトのようにヘルメット全周を占有することなく、ヘルメット前面の限られた部分のみでヘルメットにヘッドランプを装着できることを特徴とした器具。